(57)【要約】【課題】回転電機のフレームの外側に配置された計装配線を十分に保護し、その計装配線が外観上邪魔にならないようにするとともに、フレームの強度を高める。【解決手段】回転電機は、回転シャフト１１と、回転子１２と、固定子１３と、固定子１３を支持し側部にフレーム貫通孔が形成された固定子フレーム１４と、フレーム貫通孔を貫通して延びる計装配線１５と、計装配線カバー１７と、を備える。計装配線カバー１７は、固定子フレーム１４の側部外側に溶接固定され、回転軸方向に延び、フレーム貫通孔を覆い、内側に計装配線１５を収納し、且つ、固定子フレーム１４の側部を補強する。【選択図】図２
2015136227.tif 000002
【特許請求の範囲】
【請求項１】
回転軸の周りに回転可能に支持された回転シャフトと、
前記回転シャフトに取り付けられて当該回転シャフトと共に回転可能な回転子と、
半径方向間隙を介して前記回転子の外周を囲んで配置された固定子と、
前記固定子の外側を囲んで当該固定子を支持し、側部にフレーム貫通孔が形成された固定子フレームと、
前記フレーム貫通孔を貫通して延びる計装配線と、
前記固定子フレームの側部外側に溶接固定され、前記固定子フレームの側部外側に沿って回転軸方向に延び、前記フレーム貫通孔を覆い、内側に前記計装配線を収納し、且つ、前記固定子フレームの側部を補強する計装配線カバーと、
を備える回転電機。
【請求項２】
前記計装配線カバーは、前記固定子フレームの側部外側との間に前記計装配線を収容する計装配線収容空間が形成されるように回転軸方向に延びる少なくとも２本の溶接部で前記固定子フレームの側部外側に溶接されていること、を特徴とする請求項１に記載の回転電機。
【請求項３】
前記計装配線カバーに取り付けられて端子箱貫通孔が形成された少なくとも一個の端子箱をさらに有し、
前記計装配線カバーにカバー貫通孔が形成され、前記計装配線が前記端子箱貫通孔および前記カバー貫通孔を貫通していること、
を特徴とする請求項１または請求項２に記載の回転電機。
【請求項４】
前記計装配線カバーは、互いに周方向に間隔をあけて複数本が配置されていること、を特徴とする請求項１ないし請求項３のいずれか一項に記載の回転電機。
【発明の詳細な説明】
【技術分野】
【０００１】
この発明は、回転電機（電動機および発電機）に係り、特に、固定子フレームの側部を貫通する計装配線を備えた回転電機に関する。
【背景技術】
【０００２】
回転電機の固定子は、その外側に配置されたフレームによって支持されている。フレームは固定子等を支持するための強度が要求される。特許文献１に記載されているように、フレームの強度を増すためにフレームの外側に補強リブを配置する技術が知られている。
【０００３】
一方、回転電機のフレーム内の温度などを計測するための計装配線がフレームの側壁を貫通する場合があり、この計装配線をフレームの外側に沿って引き回すにあたり、計装配線を支持するための丸棒をフレームの外側に取り付ける構造が知られている。
【先行技術文献】
【特許文献】
【０００４】
【特許文献１】特開２０００−６００５９号公報
【発明の概要】
【発明が解決しようとする課題】
【０００５】
回転電機のフレーム内の温度などを計測するための計装配線をフレームの外側に沿って引き回す構成とするにあたり、この計装配線の保護が不十分であったり、計装配線が外観上邪魔になる、といった課題があった。また、フレームを構成する部材の肉厚を増やさずにフレームの強度を高めることへの要請があった。
【０００６】
この発明は、上記課題を解決するためになされたものであって、回転電機のフレームの外側に配置された計装配線を十分に保護し、その計装配線が外観上邪魔にならないようにするとともに、フレームの強度を高めることを目的とする。
【課題を解決するための手段】
【０００７】
上記目的を達成するために、本発明に係る回転電機は、回転軸の周りに回転可能に支持された回転シャフトと、前記回転シャフトに取り付けられて当該回転シャフトと共に回転可能な回転子と、半径方向間隙を介して前記回転子の外周を囲んで配置された固定子と、前記固定子の外側を囲んで当該固定子を支持し、側部にフレーム貫通孔が形成された固定子フレームと、前記フレーム貫通孔を貫通して延びる計装配線と、前記固定子フレームの側部外側に溶接固定され、前記固定子フレームの側部外側に沿って回転軸方向に延び、前記フレーム貫通孔を覆い、内側に前記計装配線を収納し、且つ、前記固定子フレームの側部を補強する計装配線カバーと、を備える。
【発明の効果】
【０００８】
この発明によれば、回転電機のフレームの外側に配置された計装配線を十分に保護し、また、その計装配線が外観上邪魔にならないようにでき、しかも、フレームの強度を高めることができる。
【図面の簡単な説明】
【０００９】
【図１】本発明に係る回転電機の第１の実施形態を模式的に示す正面図である。
【図２】図１のＩＩ−ＩＩ線矢視側断面図である。
【図３】図２のＩＩＩ部を拡大して示す部分拡大側断面図である。
【発明を実施するための形態】
【００１０】
以下、図面を参照しながら本発明に係る回転電機の実施形態について説明する。
【００１１】
図１は、本発明に係る回転電機の第１の実施形態を模式的に示す正面図である。図２は、図１のＩＩ−ＩＩ線矢視側断面図である。図３は、図２のＩＩＩ部を拡大して示す部分拡大側断面図である。ただし、図１および図２で、端子箱は二点鎖線で示す。
【００１２】
図示の例では、回転シャフト１１は、水平方向の回転軸回りに回転可能に支持されている。回転シャフト１１には回転子１２が固定されている。回転子１２の半径方向外側には、半径方向間隙を介して回転子１２を取り囲むように固定子１３が配置されている。固定子１３は固定子フレーム１４によって支持され、固定子フレーム１４が固定子１３の外側を囲んでいる。回転シャフト１１は固定子フレーム１４を貫通している。
【００１３】
固定子フレーム１４内には温度計などの複数の検知器３０が設置されている。各検知器３０には計装配線１５が接続されている。固定子フレーム１４の両側部には複数のフレーム貫通孔１６が水平方向に並んで形成され、計装配線１５がフレーム貫通孔１６を貫通している。複数のフレーム貫通孔１６を覆うように、固定子フレーム１４の外側面に、計装配線カバー１７が溶接により固定されている。計装配線カバー１７は、回転軸方向に延び、図３に示すように、立断面がＵ字状（コ字状）で水平方向に延びるチャンネル材を、上部と下部の溶接部２５で、固定子フレーム１４の外側面に溶接して構成されている。固定子フレーム１４の外側面と計装配線カバー１７の内面に囲まれて水平方向に延びる計装配線収容空間１８が形成され、計装配線収容空間１８内に計装配線１５が収容される。
【００１４】
計装配線カバー１７は、その内部に計装配線収容空間１８を形成して計装配線１５を収容する機能のほかに、固定子フレーム１４を補強する機能も持っている。
【００１５】
計装配線カバー１７には、端子箱１９がボルト・ナット（図示せず）などにより取り付けられている。計装配線カバー１７と端子箱１９との接続部の計装配線カバー１７側にはカバー貫通孔２０が形成され、カバー貫通孔２０に対応する位置の端子箱１９側には端子箱貫通孔２１が形成されている。
【００１６】
計装配線１５は、固定子フレーム１４内の検知器３０からフレーム貫通孔１６を通って、計装配線カバー１７内に形成された計装配線収容空間１８内に入り、そこから、カバー貫通孔２０および端子箱貫通孔２１を通って端子箱１９内に入り、端子箱１９内の端子２６に取り付けられる。
【００１７】
この実施形態によれば、計装配線１５が、外側から見えない位置を通って固定子フレーム１４内の検知器３０と端子箱１９内とを連絡している。このため、計装配線１５を十分に保護し、また、計装配線１５が邪魔にならない。しかも、計装配線１５の配線工事が容易にできる。さらに、計装配線カバー１７は、その内部に計装配線収容空間１８を形成して計装配線１５を収容する機能のほかに、固定子フレーム１４を補強する機能も併せ持っているので、固定子フレーム１４の強度を高めることができる。
【００１８】
以上説明したことからわかるように、この実施形態によれば、回転電機の計装配線をフレームの外側に沿って引き回すにあたり、この計装配線を十分に保護し、また、計装配線が邪魔にならないようにして、しかも、配線工事が容易にできる。
【００１９】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００２０】
たとえば、上記実施形態では２本の計装配線カバー１７が固定子フレーム１４の両側に配置されるものとしたが、計装配線カバー１７は２本でなくてもよく、１本または３本以上であってもよい。
【００２１】
また、上記実施形態では、固定子フレーム１４の外面に計装配線カバー１７を固定するための溶接部２５が、上部と下部の２箇所にあるものとしたが、計装配線カバー１７を強固に固定するものであるならば、溶接部２５は１箇所であってもよい。
【００２２】
また、上記実施形態では、回転軸が水平であるものとしたが、回転軸は水平方向でなくてもよく、鉛直方向でもよい。
【００２３】
また、上記実施形態では計装配線カバー１７に端子箱１９を取り付けるものとしたが、端子箱１９を、計装配線カバー１７とは別に取り付けてもよい。
【符号の説明】
【００２４】
１１    回転シャフト
１２    回転子
１３    固定子
１４    固定子フレーム
１５    計装配線
１６    フレーム貫通孔
１７    計装配線カバー
１８    計装配線収容空間
１９    端子箱
２０    カバー貫通孔
２１    端子箱貫通孔
２５    溶接部
２６    端子
３０    検知器
【図１】
2015136227.tif 000003
【図２】
2015136227.tif 000004
【図３】
2015136227.tif 000005